(57)【特許請求の範囲】
【請求項１】
筒状の胴部を有し、ブロー成形により形成される合成樹脂製のスクイズボトルであって、
前記胴部は、内外の表面が凹凸の無い平坦な曲面で構成されるくびれ部を有し、
前記くびれ部の両端の位置は、該くびれ部の最深位置に向かって前記胴部の周長が減少し始める位置であり、
前記くびれ部の両端間の距離は、該くびれ部が存在しないと仮定した場合の前記胴部における前記最深位置と同じ上下方向の位置での仮想的な周長を円周率で除した値以上であり、
前記くびれ部の最深位置における周長は、前記胴部の仮想的な周長の８０〜９０［％］であり、
前記くびれ部の肉厚が０．３２〜０．５０ｍｍの範囲にあり、
素材がポリエチレンテレフタレート、高密度ポリエチレン又はポリスチレンであり、
前記くびれ部をスクイズするときに一定の変形量を超えるまで変形させると反力が急激に上昇することを特徴とするスクイズボトル。
【発明の詳細な説明】
【技術分野】
【０００１】
本発明は、筒状の胴部を有し、ブロー成形により形成される合成樹脂製のスクイズボトルに関する。
【背景技術】
【０００２】
従来、手指などで側面を押すことにより容易に変形し、外力を取り去ると元の形状に戻るというスクイズ性を有するスクイズボトルが知られている。また、このようなスクイズボトルであって、一定量の内容液を吐出させる定量吐出を可能にしたものも知られている。
【０００３】
例えば、特許文献１に開示されたスクイズボトルでは、スクイズしたときの最大変形量を一定値に規制する規制部材を容器に付設することにより、定量吐出を可能にしている。また、特許文献２に開示されたスクイズボトルでは、規制部材によらず、容器の形状を工夫することにより、定量吐出を可能にしている。
【先行技術文献】
【特許文献】
【０００４】
【特許文献１】特開２００４−３５２３４５号公報
【特許文献２】特開２０１１−１０５３６０号公報
【発明の概要】
【発明が解決しようとする課題】
【０００５】
しかしながら、上記特許文献１のスクイズボトルによれば、構造が複雑であるため、吐出量を一定に規制する規制部材のコストのみならず、加工コストも増大する。また、上記特許文献２のスクイズボトルによれば、容器形状によって吐出量を一定に規制しているので、容器形状がやや特殊であり、意匠的な面や設定可能な吐出量の範囲における制約が大きい。
【０００６】
本発明の目的は、かかる従来技術の課題に鑑み、規制部材を用いずに吐出量を一定に規制できる単純な形状のスクイズボトルを提供することにある。
【課題を解決するための手段】
【０００７】
本発明のスクイズボトルは、筒状の胴部を有し、ブロー成形により形成される合成樹脂製のスクイズボトルであって、前記胴部は、内外の表面が凹凸の無い平坦な曲面で構成されるくびれ部を有し、前記くびれ部の両端の位置は、該くびれ部の最深位置に向かって前記胴部の周長が減少し始める位置であり、前記くびれ部の両端間の距離は、該くびれ部が存在しないと仮定した場合の前記胴部における前記最深位置と同じ上下方向の位置での仮想的な周長を円周率で除した値以上であり、前記くびれ部の最深位置における周長は、前記胴部の仮想的な周長の８０〜９０［％］であり、前記くびれ部の肉厚が０．３２〜０．５０ｍｍの範囲にあり、素材がポリエチレンテレフタレート、高密度ポリエチレン又はポリスチレンであり、前記くびれ部をスクイズするときに一定の変形量を超えるまで変形させると反力が急激に上昇することを特徴とする。
【０００８】
本発明によれば、スクイズボトルをスクイズするに際し、スクイズボトルのくびれ部を、手指によって、ある程度の抗力の急増が感じられるまで押すことにより、スクイズボトルにほぼ一定量の変形を生じさせることができる。そして、ある程度の抗力の急増が感じられるまで押すことは、抗力がリニアに増大する場合に一定の抗力が生じるまで押す場合に比べて、繰り返し再現することが容易である。
【０００９】
本発明では、この抗力の急増を、上記の形態を有するくびれ部をスクイズボトルの胴部に設けることにより達成している。すなわち、胴部の仮想的な周長に対するくびれ部の最深部における周長の比が８０［％］を下回ると、抗力が変形量に対してリニアにかつ大きな増大率で増大するため、抗力の急増が感じられず、押す力に対する変形量が少ない。したがって、繰り返し適度な変形量を得ることが困難となるおそれがある。
【００１０】
一方、当該周長比が９９［％］を超えると、押す力に対する変形量は大きいが、ある程度変形するまで押しても抗力が増加せず、抗力の急増が感じられない。したがって、この場合も、繰り返し適度な変形量を得ることが困難となるおそれがある。そこで、本発明では当該周長比を８０〜９９［％］の範囲に限定している。
【００１１】
また、くびれ部両端間の距離、すなわちくびれ部の長さが、上記胴部の仮想的な周長を円周率で除した値を下回る場合には、くびれ部の長さが該値以上である場合に比べて、抗力が変形量に対してリニアにかつ大きな増大率で増大する傾向となる。したがって、上記の周長比が８０［％］を下回る場合と同様に、抗力の急増が感じられず、押す力に対する変形量が少ない傾向となるので、繰り返し適度な変形量を得ることが困難となるおそれがある。そこで、本発明では、くびれ部の長さを、上記胴部の仮想的な周長を円周率で除した値以上に限定している。
【００１２】
したがって、本発明によれば、スクイズボトルの胴部に対して上記のくびれ部を設けたことにより、規制部材を用いずに吐出量を一定に規制できる単純な形状のスクイズボトルを提供することができる。
【００１３】
本発明において、スクイズボトルの素材が、ポリエチレンテレフタレート、高密度ポリエチレン又はポリスチレンであってもよい。これによれば、その硬質プラスチックとしての性質により、上記のくびれ部の機能を支障なく発揮し、良好なスクイズ感をもって吐出量の一定化を図ることができる。
【図面の簡単な説明】
【００１４】
【図１】本発明の一実施形態に係るスクイズボトルの正面図である。
【図２】くびれ部と、くびれ部が存在しないと仮定した場合の胴部とについてのくびれ部の最深位置における横断面を示す図である。
【図３】実施例１〜３、８、１０及び比較例１、２に係るスクイズボトルのスクイズ時における変形量と反力との関係を示すグラフである。
【図４】スクイズボトルのスクイズ時における変形量と反力との関係を有限要素法で調べるためにスクイズボトルをモデル化した容器モデルの一例を示す図である。
【図５】実施例１１〜１５及び比較例４〜８に係る容器モデルについて、有限要素法により、変形量及び反力の関係を調べた結果を示すグラフである。
【発明を実施するための形態】
【００１５】
以下、図面を用いて本発明の実施形態を説明する。図１に示すように、実施形態のスクイズボトル１は、上端部に設けられた吐出口２と、吐出口２に連なる肩部３と、肩部３に連なる胴部４と、胴部４に連なる底部５とを有する。
【００１６】
スクイズボトル１の形成は、合成樹脂を素材とするブロー成形により行われる。このブロー成形に用いる素材としては、ＰＥＴ（ポリエチレンテレフタレート）、ＨＤＰＥ（高密度ポリエチレン）、ＰＳ（ポリスチレン）に代表される硬質プラスチックが使用できる。
【００１７】
胴部４は、くびれ部６を有する。くびれ部６の両端の位置Ａ及びＢは、胴部４の周長が、くびれ部６の最深位置Ｃに向かって減少し始める位置である。本実施形態では、スクイズボトル１は、その中心軸線ＡＸについて回転対称で、横断面が円形であり、胴部４のくびれ部６以外の部分は一定の直径を有する。したがって、くびれ部６の両端位置Ａ及びＢは、その最深位置Ｃに向かって胴部４の直径が小さくなり始める縮径開始位置となる。
【００１８】
なお、胴部４が、その上部に向かってテーパ状に細くなっているテーパボトル型のスクイズボトルの場合には、くびれ部６以外の部分でも胴部４の周長が変化するが、その変化の度合いが変化し始める位置が、「胴部４の周長がくびれ部６の最深位置Ｃに向かって減少し始める位置」であり、くびれ部６の両端位置Ａ及びＢとなる。
【００１９】
くびれ部６が存在しないと仮定した場合の胴部４のくびれ部６に対応する部分を仮想部分４ａとすれば、仮想部分４ａは、２点鎖線で表現されるように、くびれ部６以外の胴部４の部分をそのまま直線的に延長した部分として示される。すなわち、くびれ部６の部分の縦断面では、くびれ部６が存在しないと仮定した場合の胴部４の部分は、くびれ部６の両端位置Ａ及びＢを結ぶ直線で表される。
【００２０】
図２で示される最深位置Cでの仮想部分４ａの周長を仮想周長Ｃｉとし、図１のように、くびれ部６の両端位置Ａ及びＢ間の距離、すなわちくびれ部６の長さをＬとすれば、Ｌ≧Ｃｉ／πが成立する。すなわち、くびれ部６の長さＬは、くびれ部６が存在しないと仮定した場合の胴部４における上記の最深位置Ｃと同じ上下位置での仮想的な周長Ｃｉを円周率で除した値以上である。
【００２１】
本実施形態の場合、スクイズボトル１は、横断面が円形であり、胴部４のくびれ部６以外の部分は一定の直径を有する。したがって、仮想周長Ｃｉを円周率で除した値は、該一定の直径に等しい。
【００２２】
本実施形態とは異なり、くびれ部６の長さＬが仮想周長Ｃｉを円周率で除した値より小さい場合（Ｌ＜Ｃｉ／π）には、くびれ部６が、補強リブとして機能し、スクイズボトル１の変形を抑制するように働くおそれがある。この場合、スクイズボトル１の柔軟性が失われて良好なスクイズ性が得られず、スクイズボトル１の内容液を容易に吐出させることができなくなるので好ましくない。
【００２３】
また、本実施形態では、図２で示される最深位置Ｃにおけるくびれ部６の周長を最小周長Ｃｍｉｎとし、上記の仮想周長Cｉに対する最小周長Ｃｍｉｎの割合を周長比αとすれば、周長比αの好ましい値の範囲は、８０〜９９［％］である。８０〜９８［％］であれば、より好ましい。
【００２４】
すなわち、くびれ部６における周長の減少が僅かであっても、スクイズ時におけるスクイズボトル１の変形パターンが急激に変化して折れ曲がるような座屈の発生を効果的に防止することができる。これに対し、くびれ部６等の形状などにより若干変動するが、周長比αが９９［％］より大きいと、スクイズボトル１をスクイズしても、スクイズボトル１からの反力が十分に上昇せず、スクイズボトル１の内容液を再現性よく定量だけ吐出することが困難となる。したがって、くびれ部６の最小周長Ｃｍｉｎは、胴部４の仮想周長Ｃｉの９９％以下、好ましくは９８％以下とする必要がある。
【００２５】
一方、くびれ部６の最小周長Ｃｍｉｎを小さくするにつれて、スクイズ時におけるスクイズボトル１の初期の変形に対する反力は次第に小さくなるが、同時に、反力が急増するまでの変形量、すなわちスクイズ可能範囲が次第に小さくなり、最大吐出量が少なくなる。そして、最小周長Ｃｍｉｎをさらに小さくしてゆくと、初期の変形に対する反力が再び増加し、遂には完全にスクイズ性が失われる。
【００２６】
したがって、スクイズボトル１のくびれ部６や他の部分の詳細な形状により若干異なるが、胴部４の仮想周長Cｉに対するくびれ部６の最小周長Ｃｍｉｎの割合を、概ね８０％未満、特に７８％以下とすると、スクイズ可能範囲が極端に狭くなる。この場合、スクイズボトル１は、スクイズ容器としても、またスクイズ毎に一定量の内容液を突出させる定量吐出用の容器としても不十分なものとなる。
【００２７】
スクイズボトル１の１回のスクイズ操作による吐出量は、スクイズボトル１の高さ、径等の寸法、くびれ部６の周長比α、長さＬ等の形状に係る寸法、及びくびれ部６近傍の肉厚等のいずれか、又はこれらの組合せにより容易に設定することができる。例えば、スクイズボトル１の胴部４の仮想周長Ｃｉ及び高さが同一であれば、周長比αが小さいほど吐出量は少なくなる。また、厚肉のスクイズボトル１は、薄肉のスクイズボトル１に比べて変形時の反力が大きいため、吐出量は少なくなる。
【００２８】
極端に厚肉のスクイズボトル１は、剛性が高すぎてスクイズ時の変形量が小さく、極端に薄肉のスクイズボトル１は、スクイズ時に容易に座屈するので、いずれも定量吐出には不向きである。しかし、比較的弱い力でスクイズでき、強くスクイズしても容易に座屈しないような肉厚を選定することは困難ではなく、かかる肉厚の選定により、定量吐出に適したスクイズボトル１を構成することができる。
【００２９】
なお、意匠上、機能上等の要請により、スクイズ性および定量吐出性を損なわない範囲で、スクイズボトル１に補強リブ、パネル等を設けてもよい。
【００３０】
この構成において、スクイズボトル１を使用する際には、内容液が充填されたスクイズボトル１の吐出口２に、直径が３［ｍｍ］程度のノズルを有するキャップが取り付けられる。そして、くびれ部６を手指などで適度な力でスクイズ（押す）して変形させることにより、スクイズボトル１内の内容液を、ノズルから吐出させることができる。
【００３１】
このとき、くびれ部６が上述のように構成されているので、スクイズボトル１は、変形される部分の周辺に折れ目や座屈が生ずることなく容易かつ円滑に変形する。一定の変形量を超えるまで変形させると、反力が急激に上昇する。この反力を感じ取ってスクイズ操作を停止することにより、スクイズボトル１から、ほぼ一定量の内容液を吐出させることができる。
【００３２】
スクイズ操作を停止して押圧力を解除すると、スクイズボトル１は元の形状に復元する。これにより、１回のスクイズ操作による定量吐出が完了する。かかるスクイズ操作を繰り返すことにより、毎回、再現性良くスクイズボトル１からほぼ一定量の内容液を吐出させることができる。
【００３３】
［実施例１〜３、比較例１、２］
インジェクションストレッチブロー法により、横断面が円形であり、胴部４の中央部やや上方において緩やかなくびれを呈するくびれ部６を有するＰＥＴ（ポリエチレンテレフタレート）製のスクイズボトル１を、それぞれくびれ部６の寸法が異なる実施例１〜３、比較例１、２として作成した。
【００３４】
各例のスクイズボトル１の容量、くびれ部６以外の胴部４の直径、くびれ部６の最小径、周長比α（Ｃｍｉｎ：Ｃｉ）、くびれ部６の長さＬ及びくびれ部６の肉厚を、それぞれ表１の「容量」、「胴径」、「最小径」、「周長比」、「くびれ長さ」及び「くびれ肉厚」の欄に示す。実施例１〜３、比較例１、２を通じて、「容量」、「胴径」、「くびれ肉厚」の値は、同一である。
【００３５】
【表１】
0006555799.tif 000002
【００３６】
次に、各スクイズボトル１について、内容液を充填したものを、所定の反力が生じるまでくびれ部６をスクイズする（押す）ことにより、スクイズ性、定量吐出性及び吐出量を調べた。その結果を表１の「スクイズ性」、「定量吐出性」及び「吐出量」の欄に示す。
【００３７】
ここで、スクイズ性の調査は、手指などで側面から押すことにより容易に変形し、押す力を解除すると元の形状に戻るかどうかを評価するものであり、良好であれば「○」、容易に変形できない場合や、変形パターンが急激に変化して折れ曲がるような座屈が生じた場合には「×」が、表１の「スクイズ性」の欄に記載される。
【００３８】
定量吐出性については、スクイズボトル１を通常の力で複数回スクイズしたときの吐出量がほぼ一定値に纏まっており、押す位置や力の誤差などにより吐出量に差が生じる場合があったとしてもその差が５［ｍＬ］以下である場合に「○」、他の場合には「×」が、表１の「定量吐出性」の欄に記載される。表１の「吐出量」の欄には、各スクイズボトル１について同様の条件で複数回試行した結果得られた最小の吐出量と最大の吐出量の値が示されている。
【００３９】
表１に示すように、実施例１のスクイズボトル１は、「スクイズ性」、「定量吐出性」ともに良好である。ただし、「周長比」が８０．０［％］であり、やや硬いために、「吐出量」はやや少なく、１０〜１４［ｍＬ］である。したがって、比較的少量の内容液を定量吐出させるのに適している。
【００４０】
実施例２のスクイズボトル１は、「スクイズ性」、「定量吐出性」ともに良好で、「吐出量」は５４〜５７［ｍＬ］である。したがって、実施例１のスクイズボトル１よりも多い量の内容液を定量吐出させるのに適している。
【００４１】
実施例３のスクイズボトル１は、「周長比」が１００［％］に近いが、「スクイズ性」、「定量吐出性」ともに良好で、「吐出量」は１１９〜１２３［ｍＬ］である。したがって、実施例２のスクイズボトル１よりも多い量の内容液を定量吐出させるのに適している。
【００４２】
一方、比較例１のスクイズボトル１は、「周長比」が１００［％］であり、くびれ部６が存在しない。このスクイズボトル１では、スクイズ時に押した部分が折れ曲る座屈が生じた。また、大きく変形させても反力の上昇が小さいため、吐出量がばらついて良好な再現性が得られなかった。したがって、「スクイズ性」、「定量吐出性」ともに不良であり、定量吐出の用途に適していない。
【００４３】
比較例２のスクイズボトル１は、実施例１に比べて、「最小径」及び「周長比」がやや小さい。このため、実施例１に比べて、スクイズボトル１が硬く、変形可能範囲が狭いので、「スクイズ性」、「定量吐出性」ともに不良であり、スクイズボトル１の容量に比べて、吐出量が極端に少ない。したがって、定量吐出の用途に適していない。
【００４４】
以上の、実施例１〜３、比較例１、２の結果から、「周長比」が８０．０［％］を下回るか、又は９８．３［％］を超えると、「スクイズ性」及び「定量吐出性」が不良となるおそれがあることがわかる。また、「周長比」が大きいほど、吐出量が多くなること、すなわちスクイズ量が大きくなることがわかる。
【００４５】
［実施例４、５］
次に、「くびれ部肉厚」の影響を調べるために、「くびれ肉厚」のみが異なるスクイズボトル１を実施例４、５として作成し、同様に「スクイズ性」及び「定量吐出性」を評価し、吐出量を計測した。この結果を、表１の場合と同様にして表２に示す。
【００４６】
【表２】
0006555799.tif 000003
【００４７】
表２のように、実施例４、５ともに「スクイズ性」及び「定量吐出性」は良好であり、「吐出量」は、それぞれ６３〜６６［ｍＬ］及び３０〜３４［ｍＬ］であった。この結果から、「くびれ部肉厚」が薄いほど吐出量が多くなることがわかる。すなわち、くびれ部６の肉厚を選択することにより、定量的に吐出させる量を調整できることがわかる。
【００４８】
［実施例６、７］
次に、スクイズボトル１の容量の影響を調べるために、実施例６、７として、「容量」がそれぞれ３００［ｍＬ］及び７５０［ｍＬ］で、「周長比」をほぼ同一の値とし、他の項目の値として「容量」の値に応じた値を有するスクイズボトル１を作成し、同様にして「スクイズ性」及び「定量吐出性」を評価し、吐出量を計測した。この結果を表３に示す。
【００４９】
【表３】
0006555799.tif 000004
【００５０】
表３のように、実施例６、７ともに「スクイズ性」及び「定量吐出性」は良好であり、「吐出量」は、それぞれ３０〜３２［ｍＬ］及び７５〜８０［ｍＬ］であった。この結果から、「周長比」がほぼ同一であれば、スクイズボトル１の容量にほぼ対応する吐出量が得られることがわかる。
【００５１】
［実施例８、９］
次に、横断面が楕円形で、容量が４００［ｍＬ］及び２４０［ｍＬ］である２種のスクイズボトル１をそれぞれ実施例８及び実施例９として作成した。各スクイズボトル１のくびれ部６以外の胴部４の長径及び短径、くびれ部６の周長が最小である部分の長径及び短径、くびれ部６の長さＬ及びくびれ部６の肉厚を、それぞれ表４の「胴長径」、「胴短径」、「くびれ長径」、「くびれ短径」、「周長比」、「くびれ長」及び「くびれ肉厚」の欄に示す。
【００５２】
【表４】
0006555799.tif 000005
【００５３】
次に、各スクイズボトル１について、内容液を充填したものを、所定の反力が生じるまでくびれ部６の短径に沿ってスクイズする（押す）ことにより、スクイズ性、定量吐出性及び吐出量を調べた。その結果を、表４の「スクイズ性」、「定量吐出性」及び「吐出量」の欄に示す。
【００５４】
表４のように、実施例８及び９のいずれの場合も、「スクイズ性」、「定量吐出性」は良好「○」であり、容量に応じた量の定量吐出を行うことができた。また、実施例８の「胴長径」、「くびれ長径」は、それぞれ実施例２の「胴径」、「最小径」にほぼ等しく、実施例８の「周長比」、「くびれ肉厚」は、実施例２の「周長比」、「くびれ肉厚」とほぼ等しいが、実施例８の「吐出量」は、実施例２の「吐出量」よりも若干少ない。
【００５５】
これについては、実施例８のスクイズボトル１は、横断面が楕円形状を有すること、あるいはその分だけ実施例２のスクイズボトル１よりも容量が少ないことが関係していると考えられる。実施例９についても、実施例６との比較において同様のことがいえる。
【００５６】
［実施例１０、比較例３］
胴部４が肩部３に向かってテーパ状に径が小さくなっているテーパボトルとしての２種類のスクイズボトル１を、それぞれ実施例１０及び比較例３として作成し、「スクイズ性」及び「定量吐出性」を評価し、吐出量を計測した。この結果を、表１の場合と同様にして表５に示す。実施例１０及び比較例３のスクイズボトル１は、「最小径」及び「周長比」の値のみが相互に異なる。
【００５７】
【表５】
0006555799.tif 000006
【００５８】
「周長比」が９０．５［％］である実施例１０の場合は、「スクイズ性」及び「定量吐出性」ともに良好で、「吐出量」は６８〜７１［ｍＬ］であった。これに対し、「周長比」が７８．２［％］である比較例３の場合は、「スクイズ性」及び「定量吐出性」ともに不良で、「吐出量」は３〜５［ｍＬ］であった。したがって、スクイズボトル１がテーパボトルである場合でも、周長比が適切な値を有していれば、定量吐出の用途に適していることがわかる。
【００５９】
図３は、上記実施例１〜３、８、１０及び比較例１、２の「スクイズ性」及び「定量吐出性」の評価に際して計測した変形量と反力との関係を示すグラフである。横軸の「変形量（ｍｍ）」は、スクイズのために押したくびれ部６の部分における直径（実施例１〜３、比較例１、２の場合）又は短径（実施例８、１０の場合）の変形量である。縦軸の「反力（Ｎ）」は、スクイズのためにくびれ部６の部分を押すときに、その部分から受ける反力である。
【００６０】
図３から理解されるように、実施例１〜３、８、１０の場合には、押し始めの反力が小さい間は、比較的大きく変形し、ある程度変形が進むと反力が急に大きくなる傾向にあることがわかる。したがって、この反力の増大が感じられるまでスクイズを行うことにより、ほぼ一定の変形量が得られ、ほぼ一定量の内容液を吐出させることができる。
【００６１】
また、「周長比」が１００［％］に近いほど、反力が急増するまでの変形量が大きくなる。すなわち、一定の押す力、例えば２５［Ｎ］で、より大きいスクイズ量（変形量）が得られ、より大きい吐出量での定量吐出を行えることがわかる。
【００６２】
一方、「周長比」が１００［％］である比較例１のグラフ曲線には、他のグラフ曲線とは異なり、変形量が１５［ｍｍ］程度の箇所で余分な変曲点が生じており、そのときにスクイズボトル１が折れ曲がる座屈が生じたことがわかる。また、変形量が多くなっても反力がさほど上昇しないので、反力の急増を感じとってスクイズを終了させるのが困難であることがわかる。したがって、比較例１は、「スクイズ性」及び「定量吐出性」が不良であることが理解される。
【００６３】
「周長比」が８０．０［％］より小さい７６．７［％］である比較例２の場合には、変形量に対して反力が直線的に大きく上昇している。したがって、一定の反力、例えば２５［Ｎ］の反力が得られるまでスクイズしても僅かに変形するだけで、わずかな量だけしか吐出させることができない。したがって、比較例２のスクイズボトル１は、定量吐出の用途に適していないことが理解される。
【００６４】
［実施例１１〜１５、比較例４〜８］
くびれ部６の長さがスクイズボトル１のスクイズ時における上述の変形量と反力との関係に及ぼす影響を有限要素法で調べるために、くびれ部６以外の胴部４の径が一定であるスクイズボトル１を図４のようにモデル化した容器モデル７として、表６の実施例１１〜１５及び比較例４〜８の欄で示されるような各部の寸法を有する１０種類のものを準備した。
【００６５】
【表６】
0006555799.tif 000007
【００６６】
図４のように、各容器モデル７のくびれ部６の上端及び下端の直径は等しく、各容器モデル７における胴部４のくびれ部６以外の部分の直径を表している。この上端及び下端の直径の値は、それぞれ表６の「胴径」の「上部径」及び「下部径」の欄に示されるように、すべての容器モデル７について、６０［ｍｍ］である。
【００６７】
各容器モデル７のくびれ部６の最深部における直径は、表６の「くびれ径」の欄で示されるように、すべての容器モデル７において等しく、５４［ｍｍ］である。したがって、上述の周長比は、「周長比」の欄に示されるように、すべての容器モデル７において９０（＝１００×５４／６０）［％］である。
【００６８】
各容器モデル７のくびれ部６は、上部Ｒ部６ａ、下部Ｒ部６ｂ及びくびれＲ部６ｃで構成される。図４の断面では、上部Ｒ部６ａは、くびれ部６の上側に連なる胴部４部分の外形線に接する半径Ｒの円弧の部分として示される。下部Ｒ部６ｂは、くびれ部６の下側に連なる胴部４部分の外形線に接する半径Ｒを有する円弧の部分として示される。くびれＲ部６ｃは、上記半径Ｒの両円弧の部分に接する半径ｒの円弧の部分として示される。
【００６９】
各容器モデル７の上部Ｒ部６ａ及び下部Ｒ部６ｂの半径Ｒは、表６の「上部Ｒ」及び「下部Ｒ」の欄に示すように、等しい値を有する。くびれＲ部６ｃの半径は、すべての容器モデル７について等しく、「くびれｒ」の欄に示されるように、６０［ｍｍ］である。各容器モデル７のくびれ部６の両端間の距離、すなわちくびれ部６の長さは、表６の「くびれ長」の欄に示される値を有する。各容器モデル７の「胴径」に対する「くびれ長」の割合が、表６の「くびれ長／胴径」の欄に示されている。
【００７０】
次に、表６の実施例１１〜１５及び比較例４〜８の欄で示される各容器モデル７について、有限要素法により、上述の図３と同様の変形量及び反力の関係を調べた。この結果を図５に示す。
【００７１】
図５から理解されるように、表６の「くびれ長／胴径」の値が大きいほど、変形量に対する反力の変化量が少ないグラフ曲線の部分を有しており、したがって反力がさほど増加しないうちにより大きい変形量を得ることができることがわかる。このことは、特に「くびれ長／胴径」の値が１００［％］以上である実施例１１〜１５の場合、１００［％］を下回る比較例４〜８よりも顕著に表れている。したがって、実施例１１〜１５の容器モデル７は、定量吐出に適していることがわかる。
【００７２】
以上、本発明の実施形態について説明したが、本発明はこれに限定されない。例えば、本発明のスクイズボトルは、横断面が円形または楕円形のものに限らず、横断面が円形又は楕円形に近い多角形であってもよい。
【符号の説明】
【００７３】
１…スクイズボトル、２…吐出口、３…肩部、４…胴部、６…くびれ部、Ａ、Ｂ…くびれ部の両端の位置、Ｃ…くびれ部の最深位置。
【図１】
0006555799.tif 000008
【図２】
0006555799.tif 000009
【図３】
0006555799.tif 000010
【図４】
0006555799.tif 000011
【図５】
0006555799.tif 000012